(57)【要約】      （修正有）【課題】定着対象の印刷媒体を搬送する無端ベルトと、無端ベルトを加熱する加熱ロールと、無端ベルトを加熱ロールに加圧する加圧ロールと、加熱ロール及び加圧ロールの間を通った無端ベルトを冷却する冷却構造体とを備え、無端ベルト上で搬送される印刷媒体は、加熱ロールと加圧ロールの間を通って加熱及び加圧され、冷却構造体によって冷却される定着装置を提供する。【解決手段】印刷媒体を搬送する無端ベルト６１と、前記無端ベルト６１を加熱すると共に、画像形成システムの内部において高温領域Ａ１を生成する加熱部６２と、前記無端ベルト６１を冷却すると共に、前記画像形成システムの内部において低温領域Ａ２を生成する冷却部６６と、前記高温領域Ａ１に熱的に接続する第１端部７１及び前記低温領域Ａ２に熱的に接続する第２端部７２を有し、前記第１端部７１及び前記第２端部７２の温度差から電力を発生させる熱電変換素子７０と、を備える。【選択図】図２
2020020932.tif 000002
【特許請求の範囲】
【請求項１】
印刷媒体を搬送する無端ベルトと、
前記無端ベルトを加熱すると共に、画像形成システムの内部において高温領域を生成する加熱部と、
前記無端ベルトを冷却すると共に、前記画像形成システムの内部において低温領域を生成する冷却部と、
前記高温領域に熱的に接続する第１端部、及び前記低温領域に熱的に接続する第２端部を有し、前記第１端部及び前記第２端部の温度差から電力を発生させる熱電変換素子と、
を備える画像形成システム。
【請求項２】
前記熱電変換素子の前記第２端部は、前記低温領域の内部に位置する前記無端ベルトの隣接位置に設けられる、
請求項１に記載の画像形成システム。
【請求項３】
前記熱電変換素子の前記第２端部は、前記冷却部の隣接位置に設けられる、
請求項１に記載の画像形成システム。
【請求項４】
前記熱電変換素子の前記第１端部は、前記加熱部の隣接位置に設けられる、
請求項１に記載の画像形成システム。
【請求項５】
前記熱電変換素子によって変換された電力を蓄える蓄電部を備える、
請求項１に記載の画像形成システム。
【請求項６】
前記蓄電部は、前記熱電変換素子によって変換された電力を前記冷却部に供給する、
請求項５に記載の画像形成システム。
【請求項７】
前記冷却部は、前記無端ベルトを冷却するヒートシンク及びファンを含んでおり、
前記蓄電部は、前記ファンに電力を供給する、
請求項５に記載の画像形成システム。
【請求項８】
前記無端ベルト、前記加熱部、前記冷却部及び前記熱電変換素子を含む定着装置を備え、
前記熱電変換素子は、前記定着装置の停止時の余熱を電力に変換する、
請求項１に記載の画像形成システム。
【請求項９】
前記熱電変換素子は、シート状とされている、
請求項１に記載の画像形成システム。
【請求項１０】
前記高温領域と前記低温領域の温度差は３０℃以上且つ１４０℃以下である、
請求項１に記載の画像形成システム。
【発明の詳細な説明】
【背景技術】
【０００１】
画像形成システムは、印刷媒体に付着したトナー像を定着させる定着装置を備える。定着装置は、定着対象の印刷媒体を搬送する無端ベルトと、無端ベルトを加熱する加熱ロールと、無端ベルトを加熱ロールに加圧する加圧ロールと、加熱ロール及び加圧ロールの間を通った無端ベルトを冷却する冷却構造体とを備える。無端ベルト上で搬送される印刷媒体は、加熱ロールと加圧ロールの間を通って加熱及び加圧され、その後、冷却構造体によって冷却される。
【図面の簡単な説明】
【０００２】
【図１】本明細書に開示された種々の例を実施するために使用することができる例示的な定着装置を備えた画像形成システムの概略図である。
【図２】図１の例示的な定着装置を示す図である。
【図３】図２の定着装置の例示的な熱電変換素子を示す図である。
【図４】図２とは別の例示的な定着装置を示す図である。
【発明を実施するための形態】
【０００３】
以下では、図面を参照しながら画像形成システムの種々の形態の例について説明する。図面の説明において、同一又は相当する要素には同一の符号を付し、重複する説明を適宜省略する。図面は、例を一層明瞭に示すために、簡略化又は誇張して描いている場合がある。まず、例示的な画像形成システムについて説明する。画像形成システムは、例えば、画像形成装置及び定着装置の双方を含んでおり、画像形成に関する種々の装置を含んでいてもよい。
【０００４】
図１に示されるように、一例としての画像形成システム１は、マゼンタ、イエロー、シアン及びブラックの各色を用いてカラー画像を形成する。画像形成システム１は、例えば、記録媒体搬送装置１０と、複数の現像装置２０と、転写装置３０と、複数の感光体４０と、定着装置５０，６０とを備える。記録媒体搬送装置１０は印刷媒体Ｐを搬送する。印刷媒体Ｐは一例として紙である。感光体４０は静電潜像を形成し、現像装置２０は感光体４０の外周に形成された静電潜像を現像する。転写装置３０は、トナー像を印刷媒体Ｐに二次転写する。定着装置５０，６０は、トナー像を印刷媒体Ｐに定着させる。一例として、定着装置５０は印刷媒体Ｐの１回目の定着を行う一次定着装置であり、定着装置６０は印刷媒体Ｐの２回目の定着を行う二次定着装置である。
【０００５】
記録媒体搬送装置１０は、一例として、画像が形成される印刷媒体Ｐを搬送経路Ｒ１に沿って搬送する給紙ローラ１１を備える。印刷媒体Ｐは、カセットＣに積層されて収容されており、給紙ローラ１１によってピックアップされて搬送される。給紙ローラ１１は、例えば、カセットＣの印刷媒体Ｐの出口付近に設けられる。記録媒体搬送装置１０は、印刷媒体Ｐに転写されるトナー像が二次転写領域Ｒ２に到達するタイミングで印刷媒体Ｐを搬送経路Ｒ１を介して二次転写領域Ｒ２に到達させる。
【０００６】
現像装置２０は、例えば、色ごとに設けられている。各現像装置２０は、トナーを感光体４０に担持させる現像ローラ２１を備える。現像装置２０では、例えば、トナーとキャリアを所定の混合比となるように調整し、トナー及びキャリアを混合撹拌してトナーを均一に分散させる。現像剤は現像ローラ２１に担持される。現像ローラ２１は回転して現像剤を感光体４０と対向する領域まで搬送する。そして、現像ローラ２１に担持された現像剤のうちのトナーが感光体４０の静電潜像に移動し、静電潜像が現像される。
【０００７】
転写装置３０は、例えば、現像装置２０及び感光体４０によって形成されたトナー像を二次転写領域Ｒ２に搬送する。転写装置３０には、例えば、感光体４０に現像された像が転写される。転写装置３０は、一例として、転写ベルト３１と、懸架ローラ３２ａ，３２ｂ，３２ｃ，３２ｄと、一次転写ローラ３３と、二次転写ローラ３４とを備える。転写ベルト３１は、例えば、懸架ローラ３２ａ，３２ｂ，３２ｃ，３２ｄによって懸架されている。一次転写ローラ３３は、例えば、色ごとに設けられる。各一次転写ローラ３３は、各感光体４０と共に転写ベルト３１を挟持する。二次転写ローラ３４は、懸架ローラ３２ｄと共に転写ベルト３１を挟持する。
【０００８】
転写ベルト３１は、例えば、懸架ローラ３２ａ，３２ｂ，３２ｃ，３２ｄによって循環移動する無端状のベルトである。一次転写ローラ３３は、転写ベルト３１の内周側から感光体４０を押圧する。二次転写ローラ３４は、転写ベルト３１の外周側から懸架ローラ３２ｄを押圧する。感光体４０は、一例として、感光体ドラムであり、色ごとに設けられる。複数の感光体４０は、転写ベルト３１の移動方向に沿って並んで配置される。各感光体４０の外周面の対向位置には、例えば、現像装置２０、露光ユニット４１、帯電装置４２及びクリーニング装置４３が設けられている。
【０００９】
一例としての画像形成システム１は、現像装置２０、感光体４０、帯電装置４２及びクリーニング装置４３を一体として備えるプロセスカートリッジ２と、プロセスカートリッジ２が着脱される装置本体３とを備える。プロセスカートリッジ２は、例えば、装置本体３の扉を開けて装置本体３に対して挿抜されることにより、装置本体３に対して着脱自在となっている。
【００１０】
例えば、帯電装置４２は、感光体４０の外周面を所定の電位に均一に帯電させる。帯電装置４２は、例えば、感光体４０の回転に追従して回転する帯電ローラである。露光ユニット４１は、帯電装置４２によって帯電した感光体４０の外周面を、印刷媒体Ｐに形成する画像に応じて露光する。感光体４０の外周面のうち露光ユニット４１に露光された部分の電位が変化し、これにより感光体４０の外周面に静電潜像が形成される。
【００１１】
複数の現像装置２０のそれぞれには、例えば、トナータンク２５が対向するように配置されている。各トナータンク２５の内部には、例えば、マゼンタ、イエロー、シアン及びブラックのそれぞれのトナーが収容されている。各現像装置２０には、各トナータンク２５からトナーが供給される。各現像装置２０は、供給されたトナーによって静電潜像を現像して感光体４０の外周面にトナー像を形成する。感光体４０の外周面に形成されたトナー像は転写ベルト３１に一次転写され、一次転写の後に感光体４０の外周面に残存するトナーはクリーニング装置４３によって除去される。
【００１２】
定着装置５０は、例えば、転写ベルト３１から印刷媒体Ｐに二次転写されたトナー像を印刷媒体Ｐに定着する。定着装置５０は、一例として、印刷媒体Ｐを加熱すると共に印刷媒体Ｐにトナー像を定着する加熱ローラ５１と、加熱ローラ５１を加圧する加圧ローラ５２とを備える。加熱ローラ５１及び加圧ローラ５２は、例えば、共に円筒状に形成されている。一例として、加熱ローラ５１の内側にはハロゲンランプ等の熱源が設けられる。加熱ローラ５１と加圧ローラ５２の間には、印刷媒体Ｐの定着領域であるニップ部Ｎ１が設けられる。ニップ部Ｎ１を印刷媒体Ｐが通過することにより、トナー像が印刷媒体Ｐに溶融定着される。
【００１３】
定着装置６０は、例えば、定着装置５０によってトナー像が溶融定着された印刷媒体Ｐに対しトナーの平滑化を行って印刷媒体Ｐの画像の光沢を出す。すなわち、定着装置６０は、微小な凹凸を有する印刷媒体Ｐのトナーを溶融且つ押圧し、トナーを平滑化することによって画像の光沢度を高める。例えば、定着装置６０は印刷媒体Ｐに形成された画像の光沢を制御する光沢制御装置である。定着装置６０の構成については後に詳述する。なお、画像形成システム１には、定着装置６０によって画像の光沢が制御された印刷媒体Ｐを画像形成システム１の外部に排出する排出ローラ４５，４６が設けられてもよい。
【００１４】
次に、画像形成システム１による画像形成方法の一例について説明する。最初に、画像形成システム１による印刷工程の例について説明する。例えば、画像形成システム１に被記録画像の画像信号が入力されると、給紙ローラ１１が回転することによってカセットＣに積層された印刷媒体Ｐがピックアップされて印刷媒体Ｐが搬送経路Ｒ１に沿って搬送される。そして、帯電装置４２は、感光体４０の外周面を所定の電位に均一に帯電する。その後、画像信号に基づいて露光ユニット４１が感光体４０の外周面にレーザ光を照射して感光体４０の外周面に静電潜像を形成する。
【００１５】
続いて、現像装置２０が感光体４０にトナー像を形成して現像を行う。例えば、トナー像は、各感光体４０と転写ベルト３１が対向する領域において、各感光体４０から転写ベルト３１に一次転写される。転写ベルト３１には、例えば、複数の感光体４０のそれぞれに形成されたトナー像が順次積層されて、１つの積層トナー像が形成される。積層トナー像は、懸架ローラ３２ｄと二次転写ローラ３４とが互いに対向する二次転写領域Ｒ２において、記録媒体搬送装置１０から搬送された印刷媒体Ｐに二次転写される。
【００１６】
積層トナー像が二次転写された印刷媒体Ｐは、二次転写領域Ｒ２から定着装置５０に搬送される。定着装置５０は、例えば、印刷媒体Ｐに熱及び圧力を加えながら印刷媒体Ｐにニップ部Ｎ１を通過させることにより、積層トナー像を印刷媒体Ｐに溶融定着する。積層トナー像が溶融定着された印刷媒体Ｐは、例えば、定着装置６０に搬送される。定着装置６０は、積層トナー像のトナーを溶融及び加圧してトナーを平滑化して画像の光沢度を高める。そして、定着装置６０は、平滑化された積層トナー像を有する印刷媒体Ｐを冷却してトナーを硬化させる。その後、印刷媒体Ｐは、例えば、排出ローラ４５，４６によって画像形成システム１の外部に排出される。
【００１７】
次に、定着装置６０の例をより詳細に説明する。
【００１８】
図２に示されるように、一例としての定着装置６０は、無端ベルト６１と、無端ベルト６１を懸架する回転体である加熱部６２及び支持ローラ６３，６４と、印刷媒体Ｐを加圧する回転体である加圧部６５と、無端ベルト６１を冷却する冷却部６６と、熱電変換素子７０と、蓄電部８０とを備える。例えば、無端ベルト６１は、加熱部６２の外面を通ると共に印刷媒体Ｐが載せられる。無端ベルト６１は印刷媒体Ｐを搬送する。一例として、無端ベルト６１の内側に加熱部６２、支持ローラ６３，６４、冷却部６６及び熱電変換素子７０が設けられ、無端ベルト６１の外側に加圧部６５が設けられる。
【００１９】
加熱部６２は、例えば、無端ベルト６１を加熱すると共に、画像形成システム１の内部において高温領域Ａ１を生成する。一方、冷却部６６は、無端ベルト６１を冷却すると共に画像形成システム１の内部において低温領域Ａ２を生成する。一例として、高温領域Ａ１は、加熱部６２を含む領域であって、加熱部６２によって加熱された無端ベルト６１を含んでいてもよい。また、低温領域Ａ２は、冷却部６６を含む領域であって、例えば、支持ローラ６３、及び冷却部６６によって冷却された無端ベルト６１を含んでいてもよい。一例として、高温領域Ａ１の温度と低温領域Ａ２の温度との温度差は３０℃以上且つ１４０℃以下である。
【００２０】
例えば、加熱部６２は、ロール状のヒートローラであってもよいし、ベルト状の加熱ベルトであってもよい。加熱部６２と加圧部６５の間には、例えば、印刷媒体Ｐの定着領域であるニップ部Ｎ２が設けられる。この場合、ニップ部Ｎ２を印刷媒体Ｐが通過することにより、印刷媒体ＰにおいてトナーＴが平滑化される。例えば、加熱部６２と加圧部６５との間には接触圧が働くようになっており、この接触圧によってニップ部Ｎ２が形成される。
【００２１】
一例として、加熱部６２及び支持ローラ６３，６４の回転が無端ベルト６１に伝達されることにより無端ベルト６１が回転を行う。例えば、支持ローラ６３，６４は無端ベルト６１の内側から無端ベルト６１を支持するローラであり、無端ベルト６１は加熱部６２及び支持ローラ６３，６４の外周に沿って周回移動する。一例として、印刷媒体Ｐは、無端ベルト６１に沿って搬送されると共に、ニップ部Ｎ２及び冷却部６６を通って支持ローラ６３から剥離されて定着装置６０の外部に搬送される。加圧部６５は、一例として、ロール状とされた加圧ロールであるが、ロール状でなくてもよい。
【００２２】
冷却部６６は、一例として、無端ベルト６１の印刷媒体Ｐとの反対側に接触するヒートシンク６７と、ヒートシンク６７を介して無端ベルト６１に送風を行うファン６８とを含む。しかしながら、冷却部６６は、例えば、ペルチェ素子及びヒートパイプの少なくともいずれかを含んでいてもよい。冷却部６６は、例えば、ニップ部Ｎ２を通過して平滑化された印刷媒体ＰのトナーＴを冷却して硬化させる。平滑化されたトナーＴが硬化されることにより、印刷媒体Ｐの画質の光沢度が高められる。ファン６８は、一例として、蓄電部８０から電力を受けて作動する。
【００２３】
熱電変換素子７０は、例えば、冷却部６６によって冷却された無端ベルト６１と加熱部６２の間に設けられ、加熱部６２と冷却された無端ベルト６１との温度差から電力を発生させる。一例として、加熱部６２の温度は１３０℃以上且つ１６５℃以下であり、冷却部６６によって冷却された無端ベルト６１の温度は２５℃以上且つ４５℃以下である。一例として、熱電変換素子７０が発生した電力は蓄電部８０に蓄電される。例えば、蓄電部８０は、バッテリー又はキャパシタである。
【００２４】
図３は、例示的な熱電変換素子７０を拡大して示す図である。図２及び図３に示されるように、熱電変換素子７０は、例えば、高温領域Ａ１に熱的に接続する第１端部７１と、低温領域Ａ２に熱的に接続する第２端部７２と、第１端部７１及び第２端部７２の間に設けられた電極７３と、一対の電極７３を互いに接続するｎ型熱電材料７４及びｐ型熱電材料７５とを備える。
【００２５】
例えば、第１端部７１は加熱部６２の隣接位置に設けられてもよいし、第２端部７２は低温領域Ａ２の内部に位置する無端ベルト６１の隣接位置に設けられてもよい。一例として、第１端部７１は加熱部６２に接触し、第２端部７２は無端ベルト６１に接触する。例えば、第１端部７１及び第２端部７２は、共に、セラミック製であり、絶縁材料によって構成されていてもよい。
【００２６】
例えば、熱電変換素子７０は、ゼーベック効果によって、温度差から起電力を生じさせる。熱電変換素子７０は、定着装置６０において生じる温度差から起電力を生じさせてもよく、例えば、定着装置６０の停止時の余熱から起電力を生じさせてもよい。定着装置６０の停止時とは、例えば、定着装置６０のスリープ時、又は画像形成システム１の停止時を含んでいる。
【００２７】
一例として、第１端部７１は加熱部６２によって高温となり、第２端部７２は無端ベルト６１によって低温となる。ｎ型熱電材料７４及びｐ型熱電材料７５は、第１端部７１に設けられた電極７３、及び第２端部７２に設けられた電極７３を互いに接続する。例えば、ｎ型熱電材料７４及びｐ型熱電材料７５は共に半導体素子である。例えば、熱電変換素子７０は、シート状とされており、第１端部７１と第２端部７２の間に複数のｎ型熱電材料７４と複数のｐ型熱電材料７５とが配列されている。
【００２８】
ｎ型熱電材料７４では、プラスの電荷を有する正孔の数がマイナスの電荷を有する電子の数よりも多く、第１端部７１と第２端部７２の温度差によって第２端部７２側に正孔が集まる。一方、ｐ型熱電材料７５では、電子の数が正孔の数よりも多く、第１端部７１と第２端部７２の温度差によって第２端部７２側に電子が集まる。これにより、例えば、ｎ型熱電材料７４、ｐ型熱電材料７５及び電極７３を通る電流が生じ、起電力が発生する。一例として、熱電変換素子７０は、複数の電極７３の少なくともいずれかに電極取り出し口７６，７７を備えていてもよく、この場合、熱電変換素子７０の起電力が電極取り出し口７６，７７を介して熱電変換素子７０の外部に出力される。
【００２９】
一例として、熱電変換素子７０の起電力は、熱電変換素子７０に接続された蓄電部８０に蓄電されてもよい。この場合、蓄電部８０は、熱電変換素子７０によって得られた電力を蓄電する。一例として、熱電変換素子７０はファン６８に直接接続されていてもよく、熱電変換素子７０はファン６８を駆動する電力をファン６８に直接供給してもよい。この場合、蓄電部８０を省略することも可能となる。
【００３０】
図４は、図２の定着装置６０とは別の例示的な定着装置９０を示している。例えば、定着装置９０において、熱電変換素子７０は加熱部６２及び冷却部６６に対向する。一例として、第１端部７１は加熱部６２の隣接位置に設けられ、第２端部７２は冷却部６６の隣接位置に設けられる。例えば、第１端部７１は加熱部６２に接触してもよいし、第２端部７２は冷却部６６のヒートシンク６７に接触してもよい。
【００３１】
以上、例示的な定着装置６０，９０及び画像形成システム１は、熱電変換素子７０を備えることにより、外部からの電力供給を削減することができる。熱電変換素子７０により、高温となる部分と低温となる部分との温度差が比較的高い箇所、すなわち、一例として定着装置６０，９０の温度差を電力に変換するので、温度差が高い箇所の熱を有効利用することができる。また、蓄電部８０を備える場合、熱電変換素子７０から生じた電力を蓄電部８０に蓄電することができる。
【００３２】
熱電変換素子７０によって得られた電力は、ファン６８に供給されてもよいし、ファン６８以外の機器に供給されてもよい。一例として、印刷媒体Ｐを温めるカセットＣに蓄電部８０を設け、印刷媒体Ｐを温める機器に蓄電部８０からの電力を供給してもよい。また、熱電変換素子７０によって得られた電力は、定着装置６０，９０又は画像形成システム１の起動時の電力として用いられてもよい。このように、熱電変換素子７０から得られた電力は、種々の目的で使用することが可能である。前述したように、蓄電部８０は、熱電変換素子７０によって得られた電力を冷却部６６に供給してもよく、この場合、熱電変換素子７０から得た電力を定着装置６０，９０の内部で有効利用することができる。
【００３３】
前述したように、熱電変換素子７０は、シート状とされていてもよく、この場合、熱電変換素子７０の配置の自由度を高めることができる。例えば、シート状の熱電変換素子７０は、加熱部６２に巻きつけられてもよいし、無端ベルト６１に貼り付けられてもよい。なお、熱電変換素子７０はシート状以外の形状であってもよい。また、熱電変換素子７０はコンパクトとすることができるため、種々の場所に熱電変換素子７０を配置することが可能となる。前述したように、熱電変換素子７０は、定着装置６０，９０の停止時の余熱を電力に変換してもよく、この場合、定着装置６０，９０の非稼動時の排熱を無駄なく有効利用することができる。
【００３４】
以上、本明細書に記載の全ての側面、利点及び特徴が、必ずしも、いずれかひとつの特定の例及び実施形態により達成される又は含まれるわけではないことは理解されたい。実際、本明細書において様々な例を示したが、他の例もその配置及び詳細に修正することができることは明らかである。例えば、無端ベルト６１、加熱部６２及び加圧部６５の少なくともいずれかは回転体でなくてもよい。以上のように、ここに請求される保護主題の精神及び範囲に包含される全ての修正及び変形を請求する。
【００３５】
前述した例の全部又は一部は、以下に記載する各クローズによって表現することができるが、以下の記載に限定されない。
【００３６】
［クローズ１］
印刷媒体を搬送する無端ベルトと、
前記無端ベルトを加熱すると共に、画像形成システムの内部において高温領域を生成する加熱部と、
前記無端ベルトを冷却すると共に、前記画像形成システムの内部において低温領域を生成する冷却部と、
前記高温領域に熱的に接続する第１端部、及び前記低温領域に熱的に接続する第２端部を有し、前記第１端部及び前記第２端部の温度差から電力を発生させる熱電変換素子と、
を備える画像形成システム。
［クローズ２］
前記熱電変換素子の前記第２端部は、前記低温領域の内部に位置する前記無端ベルトの隣接位置に設けられる、
クローズ１に記載の画像形成システム。
［クローズ３］
前記熱電変換素子の前記第２端部は、前記冷却部の隣接位置に設けられる、
クローズ１に記載の画像形成システム。
［クローズ４］
前記熱電変換素子の前記第１端部は、前記加熱部の隣接位置に設けられる、
クローズ１〜３のいずれかに記載の画像形成システム。
［クローズ５］
前記熱電変換素子によって変換された電力を蓄える蓄電部を備える、
クローズ１〜４のいずれかに記載の画像形成システム。
［クローズ６］
前記蓄電部は、前記熱電変換素子によって変換された電力を前記冷却部に供給する、
クローズ５に記載の画像形成システム。
［クローズ７］
前記冷却部は、前記無端ベルトを冷却するヒートシンク及びファンを含んでおり、
前記蓄電部は、前記ファンに電力を供給する、
クローズ５又は６に記載の画像形成システム。
［クローズ８］
前記無端ベルト、前記加熱部、前記冷却部及び前記熱電変換素子を含む定着装置を備え、
前記熱電変換素子は、前記定着装置の停止時の余熱を電力に変換する、
クローズ１〜７のいずれかに記載の画像形成システム。
［クローズ９］
前記熱電変換素子は、シート状とされている、
クローズ１〜８のいずれかに記載の画像形成システム。
［クローズ１０］
前記高温領域と前記低温領域の温度差は３０℃以上且つ１４０℃以下である、
クローズ１〜９のいずれかに記載の画像形成システム。
【図１】
2020020932.tif 000003
【図２】
2020020932.tif 000004
【図３】
2020020932.tif 000005
【図４】
2020020932.tif 000006